(57)【特許請求の範囲】
【請求項１】
プリント回路（２０）に設けた電子機構を含む計時機能を備えた携帯用物体であって、この電子機構は、時間ベース回路と、時間ベースによって給電される周波数分周器回路と、分周器回路に接続された制御回路（２２）と、制御回路によって制御されるディスプレイ・システムとを含んでおり、この携帯用物体は、ヘッド（２６）と、バック・カバー（６）によって閉じられたケース（２）の中央部分（４）を通るステム（１６）とを有する少なくとも１つの押しボタン（８、１０）を含んでおり、その押しボタン（８、１０）を押すことによって、押しボタン・ステム（１６）を制御回路（２２）のデータ入力（４２、４４）に電気的に接続することができ、このステム（１６）を介して、パーソナル・コンピュータまたはＰＣなどのデジタル・データを送受信するための電子ユニット（４５）から生じたデータを前記制御回路（２２）に入力するか、または前記携帯用物体に含まれているデータを抽出することが可能になる携帯用物体であり、前記押しボタン（８、１０）がさらに、制御回路（２２）に作用して、指示を修正するか、または特定の時計機能、例えば時間測定を開始または停止し、この目的のために、押しボタン・ステム（１６）は、前記押しボタン（８、１０）が配置された後に取り外されることを防ぐキーとして、またプリント回路（２０）のある領域との電気接点を確立するための手段として作用する接点ばね（４８）を備えており、この接点ばね（４８）が、前記ステム（１６）に対して電気的に絶縁されていることを特徴とする携帯用物体。
【請求項２】
押しボタン（８、１０）が押されているとき、ケース（２）の内側に配置されているステム（１６）の端が、プリント回路（２０）に固定された接点ストリップ（４６）に接触し、この接点ストリップ（４６）自体は、制御回路（２２）のデータ入力（４２、４４）の一方に接続されていることを特徴とする請求項１に記載の携帯用物体。
【請求項３】
絶縁材料で作成されているスリーブ（５２）が、ケース（２）の内側に配置されているステム（１６）の端に取り付けられており、このスリーブ（５２）は接点ばね（４８）を保持しており、前記スリーブ（５２）の後に前記ステム（１６）上に打ち込まれているワッシャ（５４）によって保持されていることを特徴とする請求項１または２に記載の携帯用物体。
【請求項４】
スリーブ（５２）が、セラミック材料またはプラスチック材料で作成されていることを特徴とする請求項３に記載の携帯用物体。
【請求項５】
押しボタン・ステム（１６）が、２つの部分（７４、７６）から形成されており、一方はステンレス鋼４Ｃ２７Ａで作成された貫通部分（７４）であり、他方（７６）は第１の貫通部分に打ち込まれており、蒸散または摩擦の作用による腐蝕を防ぐためにステンレス鋼３１６Ｌで作成されていることを特徴とする請求項１ないし４のいずれか一項に記載の携帯用物体。
【請求項６】
接点ばね（４８）がＷ字形のキーであることを特徴とする請求項２ないし５のいずれか一項に記載の携帯用物体。
【請求項７】
接点ばね（４８）が、前記接点ばね（４８）の全平面内に延びている２つのストリップ（５６ａ、５６ｂ）を含んでおり、この２つのストリップ（５６ａ、５６ｂ）は、互いに先端部分でＶ字形のノッチ（５８）によって接続され、かつそれぞれがフォールド（６０ａ、６０ｂ）を越えて、曲がった接点ラグ（６２ａ、６２ｂ）によって下方に延びていることを特徴とする請求項６に記載の携帯用物体。
【請求項８】
接点ラグの一方（６２ａ）が、ある角度で接点ばね（４８）の全平面の外側に突出していることを特徴とする請求項７に記載の携帯用物体。
【請求項９】
押しボタン・ステム（１６）が金属であることを特徴とする請求項１ないし８のいずれか一項に記載の携帯用物体。
【請求項１０】
押しボタン・ヘッド（２６）が金属であり、押しボタン・ステム
（１６）に打ち込まれていることを特徴とする請求項９に記載の携帯用物体。
【請求項１１】
押しボタン・ヘッド（２６）が、プラスチック材料または弾性材料で作成されており、押しボタン・ステム（１６）が、押しボタン・ヘッド（２６）と同一平面であるか、または前記押しボタン・ヘッド（２６）からわずかに突出していることを特徴とする請求項９に記載の携帯用物体。
【請求項１２】
押しボタン・ステム（１６）が、比較的柔らかいプラスチック材料または弾性材料で作成された押しボタン・ヘッド（２６）に埋め込まれており、データを携帯用物体にデータを転送するか、またはその逆に転送するように意図されている電子ユニット（４５）の電気プラグ（６８、７９）の一方が、押しボタン・ヘッド（２６）を作成している柔らかい材料を貫通し、押しボタン・ステム（１６）と電気的に接触することができる、尖った端（７２）を有することを特徴とする請求項９に記載の携帯用物体。
【請求項１３】
押しボタン・ステム（１６）が、前記携帯用物体の中央部分（４）に配置されているハウジング（２８）の内側でスライドするように構成されており、復帰ばね（３０）が、押しボタン・ヘッド（２６）に配置されているハウジング（３２）に構成されており、前記中央部分（４）に設けられている底部（３４）で軸方向にあることを特徴とする請求項１ないし１２のいずれか一項に記載の携帯用物体。
【請求項１４】
プリント回路（２０）が、接点ばね（４８）の接点ラグ（６２ａ、６２ｂ）にそれぞれ面しているように構成されている２つの接触パッド（６４ａ、６４ｂ）を有することを特徴とする請求項１ないし１３のいずれか一項に記載の携帯用物体。
【請求項１５】
接触パッド（６４ａ、６４ｂ）が、それぞれ、金属被覆された垂直壁（６６ａ、６６ｂ）を有する半円筒状凹部で形成されており、これらの接触パッドうち一方の接触パッド（６４ａ）が前記携帯用物体の制御回路（２２）に接続されており、他方の接触パッド（６４ｂ）が携帯用物体の接地に接続されていることを特徴とする請求項１４に記載の携帯用物体。
【発明の詳細な説明】
【０００１】
【発明の属する技術分野】
本発明は、携帯用物体とパーソナル・コンピュータまたはＰＣとの間でデータを交換することを可能にする手段を含んでいる、特に計時器などの携帯用物体に関する。
【０００２】
【従来の技術】
例えばデジタル写真装置などを内部に収容しているケースを含んでいる腕時計などの計時器は、すでによく知られている。したがって、そのような時計を装着している人は、風景、家族のメンバ、または仕事の会議中に会った人の写真を撮ることができる永久的に利用可能なカメラを有している。写真を撮った後は、アナログ／デジタル変換器によって写真をデジタル化し、次いでメモリ回路に格納する。
【０００３】
次いで、格納された写真は、従来パーソナル・コンピュータである、遠隔電子受信器および処理ユニットに転送されなければならない。この転送は電気ケーブルを介して行われ、ケーブルの一端は時計に接続され、他端はＰＣに接続されている。例えば、時計の中央部分に設けられたオーム接触により、画像転送ケーブルをＰＣに接続することが可能である。
【０００４】
この解決法は、電力消費の観点から経済的であるという利点を有する。実際、メモリに格納されている写真に対応するデジタル・データをケーブル・リンクを介して送信することは、極弱い電流しか必要としない。さらに、この転送動作中、時計への電力供給は、一般に電気主要供給源に接続されているコンピュータ自体によって保証することができる。
【０００５】
しかし、ケーブルを介して送信することの主な欠点は、転送ケーブルを接続するために必要なオーム接触が、時計の防水性にとって非常に有害であるということにある。実際、この接触は開口を伴い、それを通って湿気、水、および埃が容易に時計のケースを通過して、時計の適切な動作に障害を生じさせることができる。
【０００６】
また、個人のデータを処理するシステムは、Ｂｉｏｍｅｔｒｉｃｓ，Ｉｎｃ．の名前で、米国特許第５，８４８，０２７号によって知られている。例えばこのシステムにより、ランナなど運動選手の運動をモニタすることが可能である。各ラップのタイム、または運動選手によって達成された最終タイムまでも、走行のデータとタイムを格納することが可能である。また、このシステムにより、運動選手が運動中に行った作用を反映している心拍数および心電図（ＥＣＧ）などのある種の生理学的なパラメータ値を格納することが可能になる。次いでこれら全てのデータは、音波リンクを介してパーソナル・コンピュータに送信され、そこでデータが処理および分析されて、最終的に前記コンピュータのスクリーンに表示される。
【０００７】
上記で説明したＢｉｏｍｅｔｒｉｃｓのシステムにより、個人データを時計に格納し、次いでこのデータを音波を介してコンピュータに送信し、そこでデータを処理および分析することができることが望ましい。残念ながら、このシステムは双方向方式ではない。したがって、コンピュータから時計にデータを転送することは不可能であり、これは、Ｂｉｏｍｅｔｒｉｃｓのシステムを応用する可能性をかなり限定する。さらに、音波を介してデータを送信することは、多くの電力を使用し、比較的高価な構成要素を必要とする技術である。
【０００８】
【発明が解決しようとする課題】
本発明の目的は、計時器などの携帯用物体とパーソナル・コンピュータまたはＰＣとの間でデータを交換することができる特に簡便で費用の安いシステムを提案することによって、上記および他の問題と欠点を克服することである。
【０００９】
【課題を解決するための手段】
本発明は、プリント回路によって動作させられる電子機構（electronic movement）を含んでいる、特に計時器などの携帯用物体に関する。この電子機構は、時間ベース回路と、時間ベースによって給電される周波数を分割する分周器回路と、分周器回路に接続された制御回路と、制御回路によって制御されるディスプレイ・システムとを含んでおり、この携帯用物体はまた、ヘッドと、バック・カバーによって閉じられたケースの中央部分を通る軸とを含んでいる、少なくとも１つの押しボタンを含んでいる。押しボタンを押すことによって、押しボタンの軸を制御回路のデータ入力に電気的に接続することができる。その結果、この軸を介して、パーソナル・コンピュータまたはＰＣなどのデジタル・データを送受信するための電子ユニットから生じたデータを前記制御回路に入力するか、あるいは前記携帯用物体に含まれているデータを抽出することが可能になる。
【００１０】
これらの特徴の結果、電気リンクは、コンピュータと携帯用物体との間で、非常に簡便に確立される。電気ケーブルは、ＰＣにその一端で接続されており、他端で押しボタン軸と接触する。押しボタン軸自体は、携帯用物体の制御ユニットのデータ入力に直接接続されている。そのような解決法は、電力消費の観点から経済的であり、複雑で高価な機械的または電子的構成要素を必要としない。特に、ケーブルを接続するために、携帯用物体にオーム接触を備える必要がない。したがって、ケーブル・リンクを介してデータを交換することに関連する全ての利益から全ての利点を取り入れ、同時にこの技術に関連する問題を回避する。
【００１１】
本発明の補足的な特徴によれば、押しボタンはまた、制御回路に作用して、指示を修正するか、あるいは特定の時計機能、例えば時間測定を開始または停止する。この目的のために、押しボタン軸は、設置された後は前記押しボタンが取り外されることを防ぐキーとして、またプリント回路のある領域との電気接点を確立するための手段として作用する接触ばねを備えている。この接触ばねは、前記軸に関して、電気的に絶縁されている。
【００１２】
これらの他の特徴の結果、携帯用物体が、その通常の時計機能を調節し起動するために備えられている手段のみを用いて、携帯用物体とコンピュータの間でデータを交換することができる。したがって、もはや、追加の部品を携帯用物体に追加して、時計の制御回路をＰＣに接続できるようにする必要はない。したがって、時計の構成は簡略化され、製造コストを著しく抑える。同様に、携帯用物体の封止は変更されていない。
【００１３】
本発明による携帯用物体の実施形態の例に関する以下の詳細な説明を読めば、本発明の他の特徴と利点がより明瞭に理解されるであろう。この例は、単に例示的に与えたものであり、添付の図に関連する限定的な例ではない。
【００１４】
【発明の実施の形態】
本発明は、一般的な発明概念から出発する。この概念は、一般にパーソナル・コンピュータまたはＰＣなどのデジタル・データを送受信するための電子ユニットを時計に含まれている集積回路に、そのような時計が通常有する時計機能を制御する押しボタンを用いて接続することである。この目的のために、ＰＣは、電気的に押しボタンに接続されており、この押しボタンは、押されたときに、時計のプリント回路に備えられた電気接点ブレードと接触するようになり、押しボタン自体は時計の集積回路に接続されている。
【００１５】
一方、本発明は計時器に関して説明しているが、同じ方式で任意の携帯用物体にも適用され、物体には、データを入力するか、あるいは前記携帯用物体の外部からデータを抽出することを望むメモリを有する集積回路が含まれることに留意されたい。
【００１６】
本発明による計時器は、例えば、腕時計とすることが可能である。図１に腕時計の概略図を示し、その全体を一般的な参照番号１で表す。具体的には、金属または金属以外とすることが可能な中央部分４で外形が定められるケース２とバック・カバー６とを含んでいる。
【００１７】
４つの押しボタン８、１０、１２、および１４は、中央部分４を通る。言うまでもなく、この例は、単に例示として与えられているものであり、本発明を実施するために、時計１は１つの押しボタンを含んでいることのみを必要とする。以下の説明では、押しボタン８および１０についてのみ説明する。他の２つの押しボタン１２および１４は、押しボタン８および１０と同じ構造を有することも、当業者に知られている異なる構造を有することも可能である。したがって、下記でより詳細に説明を行わない。
【００１８】
押しボタン８および１０は、主に、細長い金属のステム１６で円柱状に形成されることが好ましいが、これに限定されるものではない。時計１の中央部分４が金属で形成されているとき、押しボタン８および１０のステム１６は、図２に概略的に示すように、電気的絶縁材料で作成されたスリーブ１８を通る。スリーブ１８は、例えば、時計１の中央部分４に打ち込むことが可能である。
【００１９】
時計１の中央部分４は、従来の方式で、プリント回路２０によって担持された電子的な時計仕掛けの機構を収容する中央空洞を形成している。この時計仕掛けの機構は、とりわけ、時間ベース回路と、時間ベースによって給電される周波数分周器回路と、分周器回路に接続された制御回路と、制御回路２２によって制御されるディスプレイ・システムとを含んでいる。このディスプレイ・システムは、ダイアル上を動く、短針、長針、秒針を含んでいるアナログ・システムとすることができる。またディスプレイ・システムは、デジタル液晶表示セルで形成することもできる。
【００２０】
制御回路２２は、様々な機能を行う。特に、時間ベースの水晶振動子の振動を維持し、水晶の周波数を分周し、時計の動きを修正し、必要であればモータおよび液晶表示に給電し、日付、ストップウォッチ、アラーム、時間帯などの特殊機能を制御し、かつある種の表示を修正し、時間設定を行う。
【００２１】
制御回路２２は、消費後再充電されるようになっているアキュムレータ２４によって電流を供給される。言うまでもなく、制御回路２２は、充電式でない電池で給電することもできる。図１に概略を示すように、アキュムレータ２４は、一般にボタンの形状を有し、時計１のバック・カバー６に収容することができる。アキュムレータ２４の底面はその陰極を構成し、金属バック・カバー６に電気的に接続されており、したがって、例えば時計１のバック・カバー６の内表面に固定された接点ばねを介して、金属中央部分４、すなわち時計１の接地に接続されている。アキュムレータ２４の陽極は、その上面によって形成され、通常の方式で制御回路２２の供給端子に接続されている。
【００２２】
もちろん、時計、特にそのバック・カバー６および中央部分４は、プラスチック材料などの電気絶縁材料で作成することができる。そのような場合には、アキュムレータ２４の電極は、制御回路２２の供給端子に直接接続される。
【００２３】
また、言うまでもなく、アキュムレータ２４の電極を反対にして、丸いボタンの底面が陽極を形成し、陰極がこのボタンの上面に位置するようにすることも可能である。そのような場合には、陽極は電気的に時計１の接地に接続される。
【００２４】
より詳細に図２ないし４に示すように、各押しボタン８および１０は、押しボタン・ヘッド２６と金属押しボタン・ステム１６を含んでいる。押しボタン・ステム１６は、時計１の中央部分４に配置されている一般に円筒形のハウジング２８の内側で、スライドするように構成されている。押しボタン・ステム１６は、制御押しが押しボタン・ヘッド２６に加えられると、ばね３０の復帰力に対抗して、ハウジング２８内で軸方向に動く。
【００２５】
復帰ばね３０は、押しボタン・ヘッド２６に配置されたハウジング３２に構成されており、中央部分４に設けられている空洞３６の底部３４で軸方向に装着されている。押しボタン・ステム１６は、その全長の１箇所に環状溝３８を有し、その中に封止ガスケット４０が収容されている。この封止ガスケット４０は、ユーザによって押しボタン８および１０が動作している間にステム１６がスライドするとき、確実にハウジング３２を防水のために封止する。
【００２６】
本発明の簡略化した代替実施形態によれば、上記で説明した押しボタン８および１０は、データの入力または時計１からデータを抽出するためにのみ使用される。この目的のために、押しボタンは、時計１の中央部分４に設置された後は、押しボタン８および１０の取外しのみを防止するキーなどの保持手段を含んでいる。本発明の主な特徴によれば、２つの押しボタン８および１０のステム１６は、それらを押圧することによって、それぞれ制御回路２２の２つのデータ入力４２および４４に電気的に接続することができる。したがって、下記で詳細に示すように、パーソナル・コンピュータまたはＰＣなどの電子デジタル・データ・トランシーバ・ユニット４５を時計１の制御回路２２に接続し、ＰＣからのデータを制御回路２２に入力するか、あるいは時計１に含まれているデータを抽出することができる。この目的のために、ケース２の内部に配置されているステム１６の端は、対応する押しボタン８、１０に圧力が加えられている間、プリント回路２０に備えられた接点ブレードまたはストリップ４６に接触し、制御回路２２のデータ入力４２および４４の１つにそれぞれ接続されている。
【００２７】
本発明の好ましい実施形態によれば、押しボタン８および１０は、時計１にデータ入力するか、あるいは時計１からのデータを抽出するだけでなく、データの修正または時間測定など特定の時計機能を開始または停止するために使用される。したがって、押しボタン８および１０は、接点ばね４８を含んでいる。このばねは、押しボタン軸１６に十分な力を作用して、ばね３０の復帰力に対抗して動作させ、したがって、ステム１６が内部でスライドするハウジング２８から外れないようにもしている。接点ばね４８は、Ｗ字形のキーであり、押しボタン・ヘッド２６に対向するステム１６の端上に取り付けられたスリーブ５２の環状溝５０に係合している（特に図７参照）。スリーブ５２は、セラミック材料またはプラスチック材料などの絶縁材料で作成されており、前記スリーブ５２の後に押しボタン・ステム１６に打ち込まれているワッシャ５４によって保持されている。したがって、接点ばね４８は、押しボタン・ステム１６に対して電気的に絶縁されている。通常の使用状況では、接点ばね４８は、常に時計１の中央部分４の内表面に対して押されている。それが動くのは、制御押しが押しボタン８、１０の一方または他方に加えられるときのみである。
【００２８】
接点ばね４８は、特定の輪郭に沿って金属シートをカットまたはスタンプし、ばねを設置した後は、キーと接触手段の両方の機能を実行するように折り重ねることによって得られる。したがって、接点ばね４８は、前記接点ばね４８の全平面内に延びている２つのストリップ５６ａ、５６ｂで形成される。これらの２つのストリップ５６ａ、５６ｂは、絶縁スリーブ５２の環状溝５０に係合するように意図しているＶ字形のノッチ５８によって互いに先端部分で接続されており、キーを形成する。各ストリップ５６ａ、５６ｂは、底部に向かって、小さく曲がった接点ラグ６２ａ、６２ｂによって、フォールド６０ａ、６０ｂを越えて延長されている。図５から明らかなように、接点ラグ６２ａは、ある角度で接点ばね４８の全平面の外部に突出し、以下で分かるように、プリント回路２０のある領域上に接地接触などの接触を確立する。
【００２９】
制御回路２２が取り付けられているプリント回路２０は、２つの接触パッド６４ａ、６４ｂを含んでいる。各接触パッドは、接点ばね４８のそれぞれの接点ラグ６２ａ、６２ｂに面するように金属被覆した垂直壁６６ａ、６６ｂを有する半円筒状凹部で形成されている。これら接触パッドのうち一方の接触パッド６４ａは、電気的に制御回路２２に接続されており、他方の接触パッド６４ｂは、時計１の接地に接続されている。
【００３０】
制御圧力が押しボタン８または１０の１つに加えられているとき、接点ばね４８が動き、その接点ラグ６２ａ、６２ｂは、金属被覆した接触パッド６４ａ、６４ｂに接触する。上記で説明したように、接点ラグ６２ａは、接点ばね４８の全平面の外部に突出している。したがって、押しボタン８または１０の一方が押されているとき、この接点ラグ６２ａは、それに面している金属被覆した接触パッド６４ａと接触し、その後他方の接点ラグ６２ｂ自体が、それに対応する金属被覆した接触パッド６４ｂに接触する。これにより、制御回路２２にとって特に有害である静電放電を防止する。
【００３１】
２つの接点ラグ６２ａ、６２ｂが金属被覆した接触パッド６４ａ、６４ｂに接触するとき、２つの接触パッド６４ａ、６４ｂの間で短絡が生じ、これにより制御回路２２への命令が到着する。逆に、本発明による時計１がコンピュータ４５に接続されているとき、押しボタン８および１０は、データが時計１とコンピュータ４５の間で交換される全時間の間、押されたままになっている。制御回路２２は、この状態が、時計１の時計機能の活動化または非活動化に対応するのではなく、ＰＣ４５から制御回路２２へデータを入力すること、または時計１に含まれているデータを抽出することに対応するということを理解するようにプログラムされている。押しボタン８、１０が押されているとき、接点ストリップ４６を介して、それぞれ制御回路２２のデータ入力４２および４４に電気的に接続されている。
【００３２】
上記ですでに説明したように、押しボタン８、１０は、この押しボタン８、１０への圧力を介して、制御回路２２のそれぞれのデータ入力４２および４４に電気的に接続されている。
【００３３】
時計１の制御回路２２にデータを入力するか、あるいは時計１の制御回路２２からデータを抽出するために、電子ユニットまたはコンピュータ４５は、それぞれ押しボタン８および１０と接触する２つの電子プラグ６８および７０を備えている。第１代替実施形態によれば、押しボタン８および１０は、押しボタン・ステム１６に打ち込まれている金属押しボタン・ヘッド２６を含んでいる。次いでこの金属押しボタン・ヘッド２６は、確実に、その周囲と短絡しないようにしなければならない。
【００３４】
図８に示す第２代替実施形態によれば、押しボタン・ヘッド２６は、射出成形されたプラスチック材料または弾性材料で作成されており、押しボタン・ステム１６に密着するようになっている。図８に示すように、金属押しボタン・ステム１６は押しボタン・ヘッド２６と同一平面上にあるか、またはわずかに押しボタン・ヘッド２６の表面から突出しており、したがって、パーソナル・コンピュータ４５の電気プラグ６８、７０と電気接点を確立することができる。
【００３５】
図９に示す他の代替実施形態によれば、押しボタン・ステム１６は、比較的柔らかいプラスチック材料または弾性材料で作成されている押しボタン・ヘッド２６に埋め込まれている。電子ユニット４５の電気プラグ６８、７０は、尖った端７２を有し、この端は、押しボタン・ヘッド２６を作成している柔らかい材料を容易に貫通し、押しボタン・ステム１６と電気的に接触することができる。
【００３６】
押しボタン・ステム１６は、１つの部材として作成することが可能である。しかし、図１０に示す本発明の好ましい実施形態によれば、押しボタン・ステム１６は２つの部分７４および７６で形成されており、一方の貫通している部分７４は、通常のステンレス鋼４Ｃ２７Ａで作成され、他方の７６は、第１の貫通部分に打ち込まれていて、性能の良いステンレス鋼３１６Ｌで作成されており、電子ユニット４５の電気プラグ６８、７０との接触によって生じる蒸散または摩擦の作用による腐食を防ぐ。
【００３７】
言うまでもなく、様々な簡単な変更および修正が、本発明の範囲内にある。特に、上記で説明した接点ばね４８は、押しボタン８、１０が取り外されることを防ぐキーとして、またプリント回路２０のある領域との電気接点を確立するための手段の両方として作用するが、２つの別々の部分によって置換することが可能であり、一方を使用して押しボタン・ステム１６をその位置に保ち、他方は、プリント回路２０の接触パッド６４ａ、６４ｂと確実に電気的に接触するようにする。
【図面の簡単な説明】
【図１】本発明による、４つの押しボタンを含んでいる計時器の上面図である。
【図２】図１の押しボタンの１つをより大きなスケールで示した詳細図である。
【図３】押しボタンの上面図である。
【図４】図３の押しボタンの断面図である。
【図５】押しボタンの軸上に取り付けられた接触ばねの透視図である。
【図６】図５の接触ばねの前面図である。
【図７】接触ばねが通って押しボタン軸上に取り付けられている絶縁スリーブの断面図である。
【図８】押しボタンの第１代替実施形態の断面図である。
【図９】押しボタンの第２代替実施形態の断面図である。
【図１０】押しボタン軸の断面図である。
【符号の説明】
１  腕時計
２  ケース
４  中央部分
６  バック・カバー
８、１０、１２、１４  押しボタン
１６  ステム
１８、５２  スリーブ
２０  プリント回路
２２  制御回路
２４  アキュムレータ
２６  押しボタン・ヘッド
２８、３２  ハウジング
３０  復帰ばね
３４  底部
３６  空洞
３８、５０  環状溝
４０  封止ガスケット
４２、４４  データ入力
４５  電子デジタル・データ・トランシーバ・ユニット
４６  接点ストリップ
４８  接点ばね
５２  スリーブ
５４  ワッシャ
５６ａ、５６ｂ  ストリップ
５８  ノッチ
６０ａ、６０ｂ  フォールド
６２ａ、６２ｂ  接点ラグ
６４ａ、６４ｂ  接触パッド
６６ａ、６６ｂ  垂直壁
６８、７０  電子プラグ
７２  尖った端
７４、７６  部分
【図１】
0004820011.tif 000002
【図２】
0004820011.tif 000003
【図３】
0004820011.tif 000004
【図４】
0004820011.tif 000005
【図５】
0004820011.tif 000006
【図６】
0004820011.tif 000007
【図７】
0004820011.tif 000008
【図８】
0004820011.tif 000009
【図９】
0004820011.tif 000010
【図１０】
0004820011.tif 000011